(57)【要約】【課題】自装置の状態に応じて、入力部からのユーザの操作方法により選択された機能を実行するか否かを制御することができる情報処理装置等を提供できる。【解決手段】複数の機能が付与される入力部から入力情報を取得する入力情報取得手段５１０と、入力情報取得手段５１０が入力情報を取得したときに入力部への操作方法から複数の機能のうち何れの機能を実行するかを選択する選択手段５２０と、自装置の状態を取得する状態取得手段５３０と、自装置の状態に応じて選択した機能を実行するか否かを制御する制御手段５４０と、を備える情報処理装置。【選択図】図６
2018074309.tif 000002
【特許請求の範囲】
【請求項１】
複数の機能が付与される入力部から入力情報を取得する入力情報取得手段と、
前記入力情報取得手段が前記入力情報を取得したときに、前記入力部への操作方法から前記複数の機能のうち何れの機能を実行するかを選択する選択手段と、
自装置の状態を取得する状態取得手段と、
前記自装置の状態に応じて選択した前記機能を実行するか否かを制御する制御手段と、
を備える情報処理装置。
【請求項２】
前記複数の機能は、自装置の保守を行なうための保守モードへ移行する機能を含むことを特徴とする請求項１に記載の情報処理装置。
【請求項３】
前記入力部は、画像を表示する表示部に表示され選択することで予め定められた機能を実行するソフトウェアキー以外のハードウェアキーであることを特徴とする請求項１または２に記載の情報処理装置。
【請求項４】
前記制御手段は、前記自装置の状態として、当該自装置を使用することができないエラーが生じているか否かにより、前記選択手段が選択した前記機能を実行するか否かを制御することを特徴とする請求項１乃至３の何れか１項に記載の情報処理装置。
【請求項５】
前記制御手段は、予め定められた操作方法にて前記入力部が操作されたときに、前記自装置を使用することができないエラーが生じている場合は、保守モードへ移行し、当該エラーが生じていない場合は、保守モードへ移行しない制御を行なうことを特徴とする請求項４に記載の情報処理装置。
【請求項６】
前記制御手段は、前記自装置の状態として、当該自装置を動作させるためのアプリケーションの状態により、前記選択手段が選択した前記機能を実行するか否かを制御することを特徴とする請求項１乃至３の何れか１項に記載の情報処理装置。
【請求項７】
前記制御手段は、予め定められた操作方法にて前記入力部が操作されたときに、前記アプリケーションの状態に応じてアプリケーション毎に予め定められた処理を行なうことを特徴とする請求項６に記載の情報処理装置。
【請求項８】
記録材に画像を形成する画像形成部と、
自装置を動作させるために、複数の機能が付与された入力部と、
前記入力部への操作方法により前記複数の機能のうち何れの機能を実行するかを選択する制御部と、
を備え、
前記制御部は、
前記入力部から入力情報を取得する入力情報取得手段と、
前記入力情報取得手段が前記入力情報を取得したときに、前記入力部への操作方法から前記複数の機能のうち何れの機能を実行するかを選択する選択手段と、
自装置の状態を取得する状態取得手段と、
前記自装置の状態に応じて選択した前記機能を実行するか否かを制御する制御手段と、
を備える画像形成装置。
【請求項９】
コンピュータに、
複数の機能が付与される入力部から入力情報を取得する入力情報取得機能と、
前記入力情報取得機能が前記入力情報を取得したときに、前記入力部への操作方法から前記複数の機能のうち何れの機能を実行するかを選択する選択機能と、
自装置の状態を取得する状態取得機能と、
前記自装置の状態に応じて選択した前記機能を実行するか否かを制御する制御機能と、
を実現させるプログラム。
【発明の詳細な説明】
【技術分野】
【０００１】
本発明は、情報処理装置、画像形成装置、プログラムに関する。
【背景技術】
【０００２】
自装置の動作をさせる情報を入力する入力部として、ボタンやスイッチ等の実体を有するキーであるハードウェアキーや、ソフトウェア制御により表示部に表示されるキーであるソフトウェアキーを、ユーザインタフェースに設ける場合がある。
【０００３】
特許文献１には、通信インタフェース部と、ユーザ・インタフェース表示部と、ハードウェア・キーを備えたユーザ・インタフェース入力部と、ウェブサーバからページ・データを受け取り、ページ・データにもとづいてユーザ・インタフェース表示部の表示画面を構成し、表示画面をユーザ・インタフェース表示部に表示させるウェブブラウザ部と、ページ・データに基づいて、ハードウェア・キーの操作の有効／無効を判定するデータ解析部と、データ解析部の判定に基づいて、ハードウェア・キーの操作の有効／無効を制御するハードウェア・キー制御部と、を有する画像処理装置が開示されている。
また特許文献２には、複写モード等の指定を入力するための操作パネルの制御を実行する操作制御部と、プログラム、現在設定中の複写モード、及び、サービスモードへ移行するための操作手順等が格納される記憶部と、クロックパルスをカウントすることにより時間を計測するタイマを備え、装置全体の制御を実行するメイン制御部とを備えている画像形成装置が開示されている。
【先行技術文献】
【特許文献】
【０００４】
【特許文献１】特開２０１０−５７００９号公報
【特許文献２】特開平５−３５０３３号公報
【発明の概要】
【発明が解決しようとする課題】
【０００５】
入力部に複数の機能を付与し、ユーザの入力部に対する操作方法により何れの機能を実行するかを選択することがある。
しかしながら自装置の状態によっては、特定の機能を実行するのが好ましくないときがある。一方、自装置を使用することができないエラー等が生じたときは、自装置の復帰等を行なうための特定の機能を実行させることが好ましい。
本発明は、自装置の状態に応じて、入力部からのユーザの操作方法により選択された機能を実行するか否かを制御することができる情報処理装置等を提供することを目的とする。
【課題を解決するための手段】
【０００６】
請求項１に記載の発明は、複数の機能が付与される入力部から入力情報を取得する入力情報取得手段と、前記入力情報取得手段が前記入力情報を取得したときに、前記入力部への操作方法から前記複数の機能のうち何れの機能を実行するかを選択する選択手段と、自装置の状態を取得する状態取得手段と、前記自装置の状態に応じて選択した前記機能を実行するか否かを制御する制御手段と、を備える情報処理装置である。
請求項２に記載の発明は、前記複数の機能は、自装置の保守を行なうための保守モードへ移行する機能を含むことを特徴とする請求項１に記載の情報処理装置である。
請求項３に記載の発明は、前記入力部は、画像を表示する表示部に表示され選択することで予め定められた機能を実行するソフトウェアキー以外のハードウェアキーであることを特徴とする請求項１または２に記載の情報処理装置である。
請求項４に記載の発明は、前記制御手段は、前記自装置の状態として、当該自装置を使用することができないエラーが生じているか否かにより、前記選択手段が選択した前記機能を実行するか否かを制御することを特徴とする請求項１乃至３の何れか１項に記載の情報処理装置である。
請求項５に記載の発明は、前記制御手段は、予め定められた操作方法にて前記入力部が操作されたときに、前記自装置を使用することができないエラーが生じている場合は、保守モードへ移行し、当該エラーが生じていない場合は、保守モードへ移行しない制御を行なうことを特徴とする請求項４に記載の情報処理装置である。
請求項６に記載の発明は、前記制御手段は、前記自装置の状態として、当該自装置を動作させるためのアプリケーションの状態により、前記選択手段が選択した前記機能を実行するか否かを制御することを特徴とする請求項１乃至３の何れか１項に記載の情報処理装置である。
請求項７に記載の発明は、前記制御手段は、予め定められた操作方法にて前記入力部が操作されたときに、前記アプリケーションの状態に応じてアプリケーション毎に予め定められた処理を行なうことを特徴とする請求項６に記載の情報処理装置である。
請求項８に記載の発明は、記録材に画像を形成する画像形成部と、自装置を動作させるために、複数の機能が付与された入力部と、前記入力部への操作方法により前記複数の機能のうち何れの機能を実行するかを選択する制御部と、を備え、前記制御部は、前記入力部から入力情報を取得する入力情報取得手段と、前記入力情報取得手段が前記入力情報を取得したときに、前記入力部への操作方法から前記複数の機能のうち何れの機能を実行するかを選択する選択手段と、自装置の状態を取得する状態取得手段と、前記自装置の状態に応じて選択した前記機能を実行するか否かを制御する制御手段と、を備える画像形成装置である。
請求項９に記載の発明は、コンピュータに、複数の機能が付与される入力部から入力情報を取得する入力情報取得機能と、前記入力情報取得機能が前記入力情報を取得したときに、前記入力部への操作方法から前記複数の機能のうち何れの機能を実行するかを選択する選択機能と、自装置の状態を取得する状態取得機能と、前記自装置の状態に応じて選択した前記機能を実行するか否かを制御する制御機能と、を実現させるプログラムである。
【発明の効果】
【０００７】
請求項１の発明によれば、自装置の状態に応じて、入力部からのユーザの操作方法により選択された機能を実行するか否かを制御することができる情報処理装置が提供できる。
請求項２の発明によれば、自装置の状態に応じて、保守モードへ移行するか否かを決定することができる。
請求項３の発明によれば、自装置を使用することができないエラーが生じていても、入力情報を取得することができる。
請求項４の発明によれば、自装置を使用することができないエラーが生じた場合に、ユーザが対処することができる。
請求項５の発明によれば、自装置を使用することができないエラーが生じた場合に保守モードへ移行することができ、このエラーが生じていないときは、保守モードへ移行しないようにすることができる。
請求項６の発明によれば、アプリケーションの状態により、より好ましい機能を選択することができる。
請求項７の発明によれば、アプリケーション毎に実行する機能を決めることができる。
請求項８の発明によれば、自装置の状態に応じて、より適した機能を実行できる画像形成装置が提供できる。
請求項９の発明によれば、自装置の状態に応じて、入力部からのユーザの操作方法により選択された機能を実行するか否かを制御することができる機能をコンピュータにより実現できる。
【図面の簡単な説明】
【０００８】
【図１】本実施の形態に係る画像形成装置の外観図である。
【図２】本実施の形態に係る画像形成装置の内部構造を示す図である。
【図３】ユーザインタフェースの一例を示した図である。
【図４】（ａ）〜（ｆ）は、アプリケーションの動作について示した図である。
【図５】（ａ）〜（ｂ）は、表示部における表示構造を示した図である。
【図６】制御装置の機能構成例を示したブロック図である。
【図７】表示部に保守モードに移行するための画面を表示した例を示した図である。
【図８】制御装置の動作について説明したフローチャートである。
【図９】本実施の形態における制御装置、ＯＳ（Operating System）、アプリケーション、ホームキーの関係を模式的に示した図である。
【発明を実施するための形態】
【０００９】
以下、添付図面を参照して、実施の形態について詳細に説明する。
【００１０】
＜画像形成装置１の全体構成の説明＞
図１は、本実施の形態に係る画像形成装置１の外観図である。図２は、本実施の形態に係る画像形成装置１の内部構造を示す図である。
画像形成装置１は、原稿の画像を読み取る画像読取装置１００と、記録材（以下、代表して「用紙」と記す場合もある。）上に画像を記録する画像記録装置２００と、を備えている。また画像形成装置１は、ユーザからの操作入力の受付やユーザに対する各種情報の表示を行なうユーザインタフェース（ＵＩ）３００を備えている。さらに画像形成装置１は、画像形成装置１全体の動作を制御する制御装置５００を備える。
【００１１】
画像読取装置１００は、画像形成装置１の上部に配置され、画像記録装置２００は、画像読取装置１００の下側に配置され、制御装置５００を内蔵している。ユーザインタフェース３００は、画像形成装置１の上部の手前側、つまり画像読取装置１００の後述する画像読取部１１０の手前側に配置されている。
【００１２】
まずは、画像読取装置１００について説明する。
画像読取装置１００は、原稿の画像を読み取る画像読取部１１０と、この画像読取部１１０に原稿を搬送する原稿搬送部１２０と、を備えている。原稿搬送部１２０は、画像読取装置１００の上部に配置され、画像読取部１１０は、画像読取装置１００の下部に配置されている。
原稿搬送部１２０は、原稿を収容する原稿収容部１２１と、この原稿収容部１２１から搬送された原稿が排出される原稿排出部１２２とを有し、原稿収容部１２１から原稿排出部１２２へ原稿を搬送する。原稿搬送部１２０は、原稿自動送り装置（ＡＤＦ：Auto Document Feeder）とも呼ばれる。
【００１３】
画像読取部１１０は、プラテンガラス１１１と、光を原稿の被読取面（画像面）へ照射する光照射ユニット１１２と、光照射ユニット１１２から原稿の被読取面へ光Ｌが照射されて原稿の被読取面で反射した光Ｌを導く導光ユニット１１３と、導光ユニット１１３によって導かれた光Ｌの光学像を結像する結像レンズ１１４と、を備えている。また、画像読取部１１０は、結像レンズ１１４によって結像された光Ｌを光電変換するＣＣＤ（Charge Coupled Device）イメージセンサ等の光電変換素子で構成され、結像された光学像を検出する検出部１１５と、検出部１１５と電気的に接続されて、検出部１１５によって得られた画像情報としての電気信号が送られる画像処理部１１６と、を備えている。
画像読取部１１０は、原稿搬送部１２０によって搬送される原稿の画像、及びプラテンガラス１１１に載せられた原稿の画像を読み取る。
【００１４】
次に、画像記録装置２００について説明する。
画像記録装置２００は、用紙Ｐに画像を形成する画像形成部２０と、画像形成部２０に対して用紙Ｐを供給する用紙供給部６０と、画像形成部２０にて画像が形成された用紙Ｐを排出する用紙排出部７０と、画像形成部２０にて一方の面に画像が形成された用紙Ｐの表裏を反転させて再度画像形成部２０に向けて搬送する反転搬送部８０と、を備えている。
【００１５】
画像形成部２０は、一定の間隔を置いて並列的に配置されるイエロー（Ｙ）、マゼンタ（Ｍ）、シアン（Ｃ）、黒（Ｋ）の４つの画像形成ユニット２１Ｙ、２１Ｍ、２１Ｃ、２１Ｋを備えている。各画像形成ユニット２１Ｙ、２１Ｍ、２１Ｃ、２１Ｋは、感光体ドラム２２と、感光体ドラム２２の表面を一様に帯電する帯電器２３と、後述する光学系ユニット５０によるレーザ照射によって形成された静電潜像を予め定められた色成分トナーで現像し可視化する現像器２４とを備えている。また、画像形成部２０には、画像形成ユニット２１Ｙ、２１Ｍ、２１Ｃ、２１Ｋの現像器２４に対して各色のトナーを供給するためのトナーカートリッジ２９Ｙ、２９Ｍ、２９Ｃ、２９Ｋが設けられている。
【００１６】
画像形成部２０は、画像形成ユニット２１Ｙ、２１Ｍ、２１Ｃ、２１Ｋの下方に、画像形成ユニット２１Ｙ、２１Ｍ、２１Ｃ、２１Ｋの感光体ドラム２２に対してレーザ光を照射する光学系ユニット５０を備えている。光学系ユニット５０は、図示しない半導体レーザ、変調器の他、半導体レーザから出射されたレーザ光を偏向走査するポリゴンミラー（不図示）と、レーザ光を通過するガラス製のウィンドウ（不図示）と、各構成部材を密閉するためのフレーム（不図示）とを備えている。
【００１７】
また、画像形成部２０は、画像形成ユニット２１Ｙ、２１Ｍ、２１Ｃ、２１Ｋの感光体ドラム２２に形成された各色のトナー像を中間転写ベルト３１上に多重転写させる中間転写ユニット３０と、中間転写ユニット３０上に重畳されて形成されたトナー像を用紙Ｐに転写する二次転写ユニット４０と、用紙Ｐ上に形成されたトナー像を加熱および加圧して定着する定着装置４５と、を備えている。
【００１８】
中間転写ユニット３０は、中間転写ベルト３１と、この中間転写ベルト３１を駆動するドライブローラ３２と、中間転写ベルト３１に一定のテンションを付与するテンションローラ３３と、を備えている。また、中間転写ユニット３０は、各感光体ドラム２２と中間転写ベルト３１を挟んで対向して感光体ドラム２２上に形成されたトナー像を中間転写ベルト３１上に転写するための複数（本実施の形態においては４つ）の一次転写ローラ３４と、中間転写ベルト３１を介して後述する二次転写ローラ４１と対向するバックアップローラ３５とを備えている。
【００１９】
中間転写ベルト３１は、ドライブローラ３２、テンションローラ３３、複数の一次転写ローラ３４、バックアップローラ３５および従動ローラ３６などの複数の回転部材に張りかけられている。そして、中間転写ベルト３１は、駆動モータ（不図示）によって回転駆動されるドライブローラ３２により、矢印方向に予め定められた速度で循環駆動される。この中間転写ベルト３１は、例えば、ゴムまたは樹脂にて成形されたものが使用される。
また、中間転写ユニット３０は、中間転写ベルト３１上に存在する残留トナー等を除去するクリーニング装置３７を備えている。クリーニング装置３７は、トナー像の転写工程が終了した後の中間転写ベルト３１の表面から残留トナーや紙粉等を除去する。
【００２０】
二次転写ユニット４０は、二次転写位置に設けられ中間転写ベルト３１を介してバックアップローラ３５を押圧し、用紙Ｐ上に画像を二次転写する二次転写ローラ４１を備えている。二次転写ローラ４１と、中間転写ベルト３１を介して二次転写ローラ４１と対向するバックアップローラ３５とで、中間転写ベルト３１に転写されたトナー画像が用紙Ｐに転写される二次転写位置が構成される。
定着装置４５は、中間転写ユニット３０によって二次転写された用紙Ｐ上の画像（トナー像）を、加熱定着ローラ４６と加圧ローラ４７とにより、熱および圧力を用いて用紙Ｐに定着させる。
【００２１】
用紙供給部６０は、画像が形成される用紙を収容する用紙収容部６１と、用紙収容部６１の各々に収容された用紙Ｐを送り出す送出ロール６２と、送出ロール６２にて送り出された用紙Ｐが搬送される搬送路６３と、搬送路６３に沿って配置され送出ロール６２によって送り出された用紙Ｐを二次転写位置へ搬送する搬送ロール６４、６５、６６と、を備えている。また用紙供給部６０は、手差しにより用紙Ｐを供給することができる手差しトレイ６７をさらに備えている。手差しトレイ６７は、折りたたみが可能であり、使用しない状態では折りたたんでおき、使用するときには開いて用紙Ｐをセットすることができる。図１および図２では、手差しトレイ６７は、折りたたんだ状態を図示している。
【００２２】
用紙排出部７０は、画像形成部２０の上方に設けられて、画像形成部２０にて画像が形成された用紙Ｐを積載する第１の積載トレイ７１と、この第１の積載トレイ７１と画像読取装置１００との間に設けられて、画像形成部２０にて画像が形成された用紙Ｐを積載する第２の積載トレイ７２と、を備えている。
用紙排出部７０は、定着装置４５よりも搬送方向下流側に設けられて、トナー画像が定着された用紙Ｐを搬送する搬送ロール７５と、この搬送ロール７５の搬送方向下流側に設けられて、用紙Ｐの搬送方向を切り替える切替ゲート７６と、を備えている。また、用紙排出部７０は、切替ゲート７６の搬送方向下流側に、切替ゲート７６によって切り替えられた搬送方向の一方側（図２における右側）に搬送される用紙Ｐを第１の積載トレイ７１に排出する第１の排出ロール７７を備えている。また、用紙排出部７０は、切替ゲート７６の搬送方向下流側に、切替ゲート７６によって切り替えられた搬送方向の他方側（図２における上側）に搬送される用紙Ｐを搬送する搬送ロール７８と、搬送ロール７８によって搬送される用紙Ｐを第２の積載トレイ７２に排出する第２の排出ロール７９と、を備えている。
【００２３】
反転搬送部８０は、定着装置４５の側方に、搬送ロール７８を第２の積載トレイ７２に用紙Ｐを排出する方向とは反対の方向に回転させることで反転された用紙Ｐが搬送される反転搬送路８１を備えている。この反転搬送路８１には、反転搬送路８１に沿って複数の搬送ロール８２が設けられている。これらの搬送ロール８２によって搬送された用紙Ｐは、搬送ロール８２によって、再度二次転写位置へ送り込まれる。
【００２４】
また、画像記録装置２００は、画像形成部２０、用紙供給部６０、用紙排出部７０、反転搬送部８０および制御装置５００を、直接的または間接的に支持する装置本体フレーム１１と、この装置本体フレーム１１に取り付けられて画像形成装置１の外面を形成する装置筐体１２と、を備えている。
装置本体フレーム１１は、画像形成装置１における横方向の一方の端部側で、内部に、切替ゲート７６、第１の排出ロール７７、搬送ロール７８および第２の排出ロール７９などを備えるとともに上下方向に伸びて、画像読取装置１００を支持する読取装置支持部１３を備えている。読取装置支持部１３は、装置本体フレーム１１における奥側の部位と協働して画像読取装置１００を支持する。
【００２５】
また、画像記録装置２００は、装置筐体１２の一部として、画像形成部２０の手前側に設けられるとともに、装置本体フレーム１１に対して開閉可能に装着されるフロントカバー１５を備えている。
ユーザは、フロントカバー１５を開くことで、画像形成部２０の中間転写ユニット３０やトナーカートリッジ２９Ｙ、２９Ｍ、２９Ｃ、２９Ｋを新しい物と取り替えることが可能となっている。
【００２６】
ユーザインタフェース３００は、詳しくは後述するが、ハードウェアキーやタッチパネルを備える。そしてユーザに対しタッチパネルに表示される画面により種々の情報を提供するとともに、ハードウェアキーやタッチパネルをユーザが操作することで、画像形成装置１に対しユーザが指示を入力することができる。
【００２７】
＜画像形成装置１の動作の説明＞
以上のように構成された画像形成装置１は、以下のように動作する。
例えば、ユーザは、画像形成装置１を使用して原稿のコピーを行なうことができる。即ち、画像読取装置１００によって読み取られた原稿の画像データを基に、画像記録装置２００により画像を用紙Ｐ上に形成することで原稿をコピーすることができる。またユーザは、通信回線に接続する図示しないパーソナルコンピュータ（ＰＣ）等から印刷のジョブを画像形成装置１に送信することでプリントを行なうことができる。即ち、通信回線を介して印刷のジョブを受信し、印刷のジョブに含まれる画像データを基に、画像記録装置２００により画像を用紙Ｐ上に形成することでプリントすることができる。さらにユーザは、ファクシミリの送受信を行なうことができる。即ち、画像読取装置１００によって読み取られた原稿の画像データを通信回線を介して送信できる。あるいはユーザは、原稿の画像データを保存することができる。即ち、原稿の画像データを画像形成装置１内部や通信回線に接続したＰＣに保存できる。
【００２８】
ここでは、ユーザが原稿のコピーやプリントを行なう場合を例に取り、画像形成装置１の動作について詳しく説明を行なう。
画像読取装置１００によって読み取られた原稿の画像や、ＰＣ等から受信した画像データは、予め定められた画像処理が施され、画像処理が施された画像データは、イエロー（Ｙ）、マゼンタ（Ｍ）、シアン（Ｃ）、黒（Ｋ）の４色の色材階調データに変換され、光学系ユニット５０に出力される。
【００２９】
光学系ユニット５０は、入力された色材階調データに応じて、半導体レーザ（図示せず）から出射されたレーザ光を、ｆ−θレンズ（不図示）を介してポリゴンミラーに出射する。ポリゴンミラーでは、入射されたレーザ光を各色の階調データに応じて変調し、偏向走査して、図示しない結像レンズおよび複数枚のミラーを介して画像形成ユニット２１Ｙ、２１Ｍ、２１Ｃ、２１Ｋの感光体ドラム２２に照射する。
【００３０】
画像形成ユニット２１Ｙ、２１Ｍ、２１Ｃ、２１Ｋの感光体ドラム２２では、帯電器２３で帯電された表面が走査露光され、静電潜像が形成される。形成された静電潜像は、各々の画像形成ユニット２１Ｙ、２１Ｍ、２１Ｃ、２１Ｋにて、イエロー（Ｙ）、マゼンタ（Ｍ）、シアン（Ｃ）、黒（Ｋ）の各色のトナー像として現像される。画像形成ユニット２１Ｙ、２１Ｍ、２１Ｃ、２１Ｋの感光体ドラム２２上に形成されたトナー像は、中間転写体である中間転写ベルト３１上に多重転写される。
【００３１】
一方、用紙供給部６０では、画像形成のタイミングに合わせて送出ロール６２が回転して用紙収容部６１に収容されている用紙Ｐを取り上げ、搬送路６３を介して搬送ロール６４、６５にて搬送される。その後、トナー像が形成された中間転写ベルト３１の移動タイミングに合わせて搬送ロール６６が回転し、用紙Ｐは、バックアップローラ３５および二次転写ローラ４１によって形成される二次転写位置に搬送される。二次転写位置にて、下方から上方に向けて搬送される用紙Ｐには、圧接力および予め定められた電界を用いて、４色が多重されているトナー像が副走査方向に順次、転写される。そして、各色のトナー像が転写された用紙Ｐは、定着装置４５によって熱および圧力で定着処理を受けた後に排出され、第１の積載トレイ７１あるいは第２の積載トレイ７２に積載される。
【００３２】
両面印刷の要求があった場合には、一方の面に画像が形成された用紙Ｐは、反転搬送部８０にて表裏が反転するように搬送され、再度二次転写位置に送られる。そして、二次転写位置にて、用紙Ｐの他方の面にトナー像が転写され、定着装置４５にて転写された画像が定着される。その後、両面に画像が形成された用紙Ｐは、排出され、第１の積載トレイ７１あるいは第２の積載トレイ７２に積載される。
【００３３】
＜ユーザインタフェース３００の説明＞
図３は、ユーザインタフェース３００の一例を示した図である。
図示するユーザインタフェース３００は、ハードウェアキー３１０と表示部３２０とを備える。
本実施の形態においては、ユーザインタフェース３００は、ハードウェアキー３１０としてホームキー３１１を備える。しかし、これに限らず、ハードウェアキー３１０として、画像形成装置１が有する機能のうちユーザの利用頻度が高い機能について専用のキーを設けてもよい。たとえば、画像形成装置１が有する機能を実際に開始するためのスタートキーや、設定を初期状態にするために用いられるリセットキーや、画像形成装置１がユーザが指示した機能を動作中にその動作を中止するためのストップキーなどを設けてもよい。
【００３４】
ホームキー３１１は、詳しくは後述するが複数の機能が付与されている。複数の機能のうちの１の機能として、例えば、表示部３２０の表示を初期画面であるホーム画面にする機能がある。ホーム画面とは別の画面が表示部３２０に表示されている場合に、ホーム画面に移行することができる。また別の機能として、例えば自装置である画像形成装置１の保守を行なうための保守モードに移行する機能がある。そしてユーザは、ホームキー３１１への操作方法により、それぞれの機能を使い分けることができる。
なお本実施の形態においては、ホーム画面に移行する機能と、保守モードに移行する機能とを採用したが、これに限らず、自装置を強制的に再起動（リブート）する機能や、自装置に設定された設定値を初期値に設定する機能、自装置の表示部３２０を制御する表示制御装置のみをリセットする機能などを採用することもできる。
また複数の機能のうち少なくとも一つに、自装置の不具合を解消させるための機能を対応付けておくことが好ましい。
この場合ホームキー３１１は、自装置である画像形成装置１を動作させるために、複数の機能が付与された入力部として機能する。
【００３５】
表示部３２０は、例えば、タッチパネルである。表示部３２０は、画像形成装置１に関する情報を画像としてを表示するとともに、表示部３２０の画面をプレス（タッチ、タップ）等することでユーザが希望する事項を入力することができる。ここでは表示部３２０は、いわゆるホーム画面を表示している。このホーム画面では、画像形成装置１が備える機能を実行するためのアイコンＩを表示している。ここでは、コピー、ファクス、スキャン、ＩＤカードコピーのアイコンＩを表示している。
それぞれのアイコンＩは、予め定められた処理に関連付けられている。即ちここでは、コピー、ファクス、スキャン、ＩＤカードコピーの各処理に関連付けられている。そしてユーザがアイコンＩをプレス等することで選択すると、この処理を行なうアプリケーションが起動する。
また、後述するように、表示部３２０には、保守モードに移行するための画面が表示されるようにしてもよい。この場合、保守モードに移行するための画面は、ユーザの認証を行う画面であってもよいし、ユーザの認証なしに保守モードの操作を行える画面であってもよい。
【００３６】
図４（ａ）〜（ｆ）は、アプリケーションの動作について示した図である。
図４（ａ）は、図３と同様の図であり、表示部３２０にホーム画面を表示した状態を示している。このとき図４（ｂ）に示すように、ホーム画面を表示するためのアプリケーションとしてホームアプリが動作し、図４（ａ）のような画面が表示される。このホームアプリは、常駐している。
【００３７】
またホームアプリは、ユーザがアイコンＩをプレスしたときに、そのアイコンＩに関連付けられたアプリケーションを起動させたり、ホームキー３１１が押下されると、その操作方法によりホーム画面や保守モード等に移行させることも行う。
【００３８】
図４（ｃ）は、図４（ａ）のホーム画面においてユーザがＩＤカードコピーのアイコンＩをプレスしたときの表示部３２０の状態を示している。
このとき図４（ｄ）に示すように、ＩＤカードコピーを行なうためのアプリケーションであるＩＤカードコピーアプリが起動し、表示部３２０は、図４（ｃ）に示すＩＤカードコピーを行なうための画面に移行する。この状態では、ホームアプリおよびＩＤカードコピーアプリの２つが動作している。
【００３９】
図４（ｅ）は、図４（ｃ）の状態から、ユーザがホームキー３１１をプレスしたときの表示部３２０の状態を示している。
このとき図４（ｆ）に示すように、ＩＤカードコピーアプリの起動状態が終了する。そして常駐するホームアプリが、表示部３２０で表示する画面を、図４（ｅ）に示すホーム画面に移行する。
【００４０】
図５（ａ）〜（ｂ）は、表示部３２０における表示構造を示した図である。
表示部３２０における表示構造は、図５（ａ）に示すようにレイヤー構造になっており、個々の事象により表示するレイヤーが決まっており、表示レイヤー管理モジュールにより制御される。この場合、レイヤー構造は、下層から上層に向け、アプリレイヤー、Popupレイヤー（Low）、Faultレイヤー、Popupレイヤー（High）の４層構造となっている。そしてユーザは図５（ｂ）に示すようにこれらのレイヤーを重畳させた画面を見ることになる。
【００４１】
アプリレイヤーは、図３のアプリケーションが動作するときのそれぞれの画面を表示するレイヤーである。図５（ａ）では、ホーム画面や、ファクス、スキャン、ＩＤカードコピーの各アプリケーションが動作するときの状態を模式的に示している。
Popupレイヤー（Low）は、通常認証等の通常のポップアップ画面を表示するレイヤーである。これにより表示部３２０には、ユーザの認証等を行なう画面が表示される。
Faultレイヤーは、Fault（エラー）が生じたときに、それに応じた画面を表示するレイヤーである。これにより表示部３２０には、警告画面等が表示される。
Popupレイヤー（High）は、保守モードの際にユーザの認証を行なうポップアップ画面を表示するレイヤーである。これにより表示部３２０には、ユーザの認証等を行なう画面が表示される。
【００４２】
本実施の形態では、アイコンＩは、ソフトウェアキーの一例である。またソフトウェアキーとしては、これに限られるものではなく、表示部３２０に表示され、プレス等を行なうことで選択動作が行なわれるものであればよい。例えば、前の画面に戻るための「戻る」キーやコピー等の設定を行なうために表示される設定キー等が該当する。
【００４３】
本実施の形態において、ソフトウェアキーとは、画像を表示する表示部３２０に仮想的なキーとして表示され選択することで予め定められた機能を実行するものである、またハードウェアキーとは、ソフトウェアキー以外のキーでありキーとしての実体を有するボタンやスイッチ等からなるものであると言うこともできる。
【００４４】
＜制御装置５００の説明＞
図６は、制御装置５００の機能構成例を示したブロック図である。なお図６では、制御装置５００が有する種々の機能のうち本実施の形態に関係するものを選択して図示している。
制御装置５００は、情報処理装置の一例であるとともに、入力部への操作方法により複数の機能のうち何れの機能を実行するかを選択する制御部の一例である。
図示するように本実施の形態の制御装置５００は、入力情報取得手段５１０と、選択手段５２０と、状態取得手段５３０と、制御手段５４０と、保守手段５５０とを備える。
【００４５】
入力情報取得手段５１０は、複数の機能が付与される入力部であるホームキー３１１から入力情報を取得する。つまりユーザがホームキー３１１を押下したときに、ホームキー３１１が押下された旨の制御信号を入力情報として取得する。なお、本実施の形態では、取得した入力情報から、ホームキー３１１の押下された時間を特定して、プレス（タッチ、タップ）か、ロングプレス（ロングタッチ、長押し）であったか否かを判断する。
【００４６】
選択手段５２０は、入力情報取得手段５１０からホームキー３１１への操作方法（プレス又はロングプレス等）の通知を受けたときに、ホームキー３１１への操作方法からホームキー３１１に付与された複数の機能のうち何れの機能を実行するかを選択する。本実施の形態では、選択手段５２０は、ホームキー３１１に対するユーザが操作方法として、プレス（タッチ、タップ）を行なったか、ロングプレス（ロングタッチ、長押し）を行なったかにより、複数の機能のうち何れの機能を実行するかを選択する。
【００４７】
状態取得手段５３０は、自装置である画像形成装置１の状態を取得する。この場合、画像形成装置１の状態とは、詳しくは後述するが、画像形成装置１を使用することができないエラー（SystemFail）が生じている場合や、アプリケーションが特定の状態となっている場合が該当する。
【００４８】
制御手段５４０は、自装置である画像形成装置１の状態に応じて選択した機能を実行するか否かを制御する。即ち、画像形成装置１の状態により選択手段５２０で選択された機能が実行される場合と実行されない場合とがある。
【００４９】
保守手段５５０は、保守モードへ移行する機能を実施する手段である。本実施の形態においては、保守手段５５０は、選択手段５２０により保守モードが選択されて、かつ、制御手段５４０により保守モードへ移行が許可された場合に、保守モードに移行する機能を実施する。
【００５０】
保守モードに移行する機能には、表示部３２０に保守モードに移行するための画面を表示することも含まれる。この場合、保守モードに移行するための画面は、ユーザの認証を行う画面であってもよいし、ユーザの認証なしに保守モードの操作を行える画面であってもよい。
【００５１】
図７は、表示部３２０に保守モードに移行するための画面を表示した例を示した図である。
図示する例では、ユーザの認証を行う画面として表示部３２０に保守モードログイン画面を表示している。
【００５２】
また、アプリケーションがフリーズした状態では、表示部３２０を利用することができない場合もある。そのため、画像形成装置１とは別の端末の表示部に保守モードに移行するための画面を表示してもよい。他にも、保守手段５５０は、保守モードに移行する機能に、画像形成装置１を強制的に再起動（リブート）する機能を含ませてもよい。
【００５３】
図８は、制御装置５００の動作について説明したフローチャートである。
以下、図６および図８を主に用いて制御装置５００の動作について説明する。
まずユーザがユーザインタフェース３００のホームキー３１１に対し予め定められた操作方法により操作を行なう。この操作は、上述したようにプレスまたはロングプレスであるとする。
【００５４】
まず入力情報取得手段５１０は、ホームキー３１１から入力情報を取得する（ステップ１０１）。
【００５５】
次に入力情報取得手段５１０は、ユーザの操作が、プレスであったかロングプレスであったか否かを判断する（ステップ１０２）。入力情報取得手段５１０がユーザの操作を判断するには、ホームキー３１１が押下されていた時間により行うことができる。即ち、ホームキー３１１が押下されていた時間が予め定められた閾値以下であれば、入力情報取得手段５１０は、ユーザの操作がプレスであったと判断する。対してホームキー３１１が押下されていた時間が予め定められた閾値を超えれば、入力情報取得手段５１０は、ユーザの操作がロングプレスであったと判断する。
【００５６】
そしてユーザの操作が、ロングプレスであった場合（ステップ１０２でＹｅｓ）、選択手段５２０が、保守モードに移行することを選択する（ステップ１０３）。
【００５７】
次に制御手段５４０が、状態取得手段５３０から取得した、画像形成装置１の状態を用いて、現在動作中のアプリケーションがロングプレスをロックしているか否かを判断する（ステップ１０４）。つまりロングプレスされた場合は、選択手段５２０の決定により原則として保守モードに移行するが、保守モードに移行することが好ましくないときは、保守モードに移行するべきではない。そのためこの場合は、アプリケーションの側でロングプレスをロックし、保守モードに移行しないようにすることがある。
【００５８】
アプリケーションの側でロングプレスをロックするとは、アプリケーションがロングプレスに対応する機能の実施を許可しないことを言う。すなわち、本実施の形態では、ユーザがロングプレスしても、アプリケーションがロングプレスに対応する保守モードへの移行を許可しない。
【００５９】
なお、制御手段５４０は、画像形成装置１を使用することができないエラー（SystemFail）と判断した場合には、制御手段５４０が、アプリケーション側でロングプレスをロックしていても、ロングプレスに対応する保守モードに移行させる。この場合、現在動作中のアプリケーションを終了させてから、保守モードに移行してもよいし、アプリケーションの起動を維持したままで、保守モードに移行してもよい。
【００６０】
ここで、アプリケーションは、制御手段５４０にロングプレスをロックする条件を通知してもよい。この場合、制御手段５４０は、アプリケーションから受け取ったロングプレスをロックする条件に従って制御をおこなう。即ち、制御手段５４０は、この条件に従いアプリケーションがロングプレスをロックしているか否かを判断する（ステップ１０４）。たとえば、制御手段５４０は、状態取得手段５３０で取得した状態が、ロック条件に一致する場合には、ロングプレスに対応する機能の実施を許可しないように制御する（ステップ１０４でＹｅｓに対応）。また制御手段５４０は、ロック条件に一致しない場合には、ロングプレスに対応する機能の実施を許可するように制御する（ステップ１０４でＮｏに対応）。
【００６１】
ステップ１０４で、アプリケーションがロングプレスをロックしていなかった場合（ステップ１０４でＮｏ）、制御手段５４０は、保守手段５５０に対して、保守モードに移行する機能を実行させる指示を出す。そして保守手段５５０は、保守モードに移行する機能を実行し、画像形成装置１を保守モードに移行させる（ステップ１０５）。
【００６２】
対してアプリケーションがロングプレスをロックしていた場合（ステップ１０４でＹｅｓ）、制御手段５４０は、状態取得手段５３０から取得した、画像形成装置１の状態を用いて、画像形成装置１を使用することができないエラー（SystemFail）が発生しているか否かを判断する（ステップ１０６）。
【００６３】
その結果、画像形成装置１を使用することができないエラーが生じている場合（ステップ１０６でＹｅｓ）、制御手段５４０が、保守手段５５０に対して、保守モードに移行する機能を実行させる指示を出す。そして保守手段５５０は、保守モードに移行する機能を実行し、画像形成装置１を保守モードに移行させる（ステップ１０５）。
【００６４】
つまりアプリケーションがロングプレスをロックしている場合でも画像形成装置１を使用することができないエラー（SystemFail）が発生しているときは、画像形成装置１を復帰等させるための保守モードに移行することが好ましいため、この場合は、制御手段５４０は、保守手段５５０に対して、画像形成装置１を保守モードに移行させる指示を出す。
【００６５】
ここで画像形成装置１を使用することができないエラーの具体例としては、画像形成装置１を構成する各サブモジュールの致命的なエラーや電源低下エラーが挙げられる。また画像形成装置１内のケーブル接続に関するエラーやコピー等の枚数の上限に書き換え等が行われたときに生じるエラーも該当する。また画像形成装置１を使用することができないエラーでないエラーの具体例としては、画像形成装置１の一部に不具合が生じた場合が該当する。例えば、画像読取装置１００に不具合が生じ使用できなくなったが、画像記録装置２００はまだ使用できる場合や、用紙収容部６１（図２参照）に不具合が生じた場合などである。また他に、メモリオーバーフローや、用紙Ｐの詰まりが生じたなどの場合である。
【００６６】
対して画像形成装置１を使用することができないエラー（SystemFail）が生じていない場合（ステップ１０６でＮｏ）、制御手段５４０は、保守手段５５０に保守モードに移行する機能を実行させる指示を出さない。したがって、画像形成装置１は保守モードに移行しない（ステップ１０７）。そしてこの場合、選択手段５２０が、アプリケーション毎に予め定められた処理を行なうことを選択する（ステップ１０８）。
【００６７】
さらに制御手段５４０は、状態取得手段５３０から取得した、画像形成装置１の状態を用いて、アプリケーションがロングプレスを受け取る状態にあるか否かを判断する（ステップ１０９）。
【００６８】
そしてアプリケーションがロングプレスを受け取る状態にない場合（ステップ１０９でＮｏ）、制御手段５４０は、ホームキー３１１へのユーザの操作であるロングプレスを無効とする（ステップ１１０）。つまりロングプレスされた場合は、選択手段５２０の決定により原則としてアプリケーション毎に予め定められた処理を行なうが、その処理を行なうことが好ましくないときは、その処理を行なわないようにした方がよい。そのためこの場合は、アプリケーションの側でロングプレスを受け取る状態にはないとし、その処理を実行しないようにすることがある。
【００６９】
対してアプリケーションがロングプレスを受け取る状態にある場合（ステップ１０９でＹｅｓ）、制御手段５４０は、アプリケーション毎に予め定められた処理を行なう機能を実行することを決定し、アプリケーションはその処理を実際に実行する（ステップ１１１）。
【００７０】
なおステップ１０２でユーザの操作が、ロングプレスでなかった場合（プレスであった場合）（ステップ１０２でＮｏ）、選択手段５２０が、ユーザインタフェース３００の表示部３２０をホーム画面に移行することを選択する（ステップ１１２）。
【００７１】
次に制御手段５４０が、状態取得手段５３０から取得した、画像形成装置１の状態を用いて、現在動作中のアプリケーションがプレスをロックしているか否かを判断する（ステップ１１３）。
【００７２】
つまりプレスされた場合は、選択手段５２０の決定により原則としてホーム画面に移行するが、ホーム画面に移行することが好ましくないときは、ホーム画面に移行するべきではない。そのためこの場合は、アプリケーションの側でプレスをロックし、ホーム画面に移行しないようにすることがある。
【００７３】
アプリケーションの側でプレスをロックするとは、アプリケーションがプレスに対応する機能の実施を許可しないことを言う。すなわち、本実施の形態では、ユーザがプレスしても、アプリケーションがプレスに対応するホーム画面への移行を許可しない。
【００７４】
ここで、アプリケーションは、制御手段５４０にプレスをロックする条件を通知してもよい。この場合、制御手段５４０は、アプリケーションから受け取ったプレスをロックする条件に従って制御をおこなう。即ち、制御手段５４０は、この条件に従いアプリケーションがプレスをロックしているか否かを判断する（ステップ１１３）。たとえば、制御手段５４０は、状態取得手段５３０で取得した状態が、ロック条件に一致する場合には、プレスに対応する機能の実施を許可しないように制御する（ステップ１１３でＹｅｓに対応）。また制御手段５３０は、ロック条件に一致しない場合には、プレスに対応する機能の実施を許可するように制御する（ステップ１１３でＮｏに対応）。
【００７５】
ステップ１１３で、アプリケーションがプレスをロックしていなかった場合（ステップ１１３でＮｏ）、制御手段５４０は、表示部３２０をホーム画面に移行する機能を実行し、表示部３２０をホーム画面に移行させる（ステップ１１４）。
【００７６】
対してアプリケーションがプレスをロックしていた場合（ステップ１１３でＹｅｓ）、制御手段５４０は、ホーム画面に移行する機能を実行せず、表示部３２０をホーム画面に移行しない（ステップ１１５）。そしてこの場合、選択手段５２０が、アプリケーション毎に予め定められた処理を行なうことを選択する（ステップ１１６）。
【００７７】
さらに状態取得手段５３０は、状態取得手段５３０から取得した、画像形成装置１の状態を用いて、アプリケーションがプレスを受け取る状態にあるか否かを判断する（ステップ１１７）。
【００７８】
そしてアプリケーションがプレスを受け取る状態にない場合（ステップ１１７でＮｏ）、制御手段５４０は、ホームキー３１１へのユーザの操作であるプレスを無効とする（ステップ１１８）。
【００７９】
対してアプリケーションがプレスを受け取る状態にある場合（ステップ１１７でＹｅｓ）、制御手段５４０は、アプリケーション毎に予め定められた処理を行なう機能を実行することを決定し、アプリケーションはその処理を実際に実行する（ステップ１１９）。
【００８０】
アプリケーションが、ロングプレスやプレスをロックする場合の具体例としては、免許証の表面と裏面をスキャンして、１枚の用紙に集約コピーをするＩＤカードコピーのアプリケーションが動作しているときに、免許証の表面のスキャンをした後に、免許証の裏面のスキャンを行うためにユーザの操作を待つ状態の場合が該当する。この場合、保守モードやホーム画面に移行することは好ましくないためアプリケーションはロングプレスやプレスに対しロックをかける。ただし、この場合でもユーザの要求によりアプリケーションの動作を途中で中止したい場合もある。そこでロングプレスやプレスを受け取る状態を設け、これによりアプリケーション毎に予め定められた処理を行なう。ＩＤカードコピーの場合、制御手段５４０は、この処理としてＩＤカードコピーがキャンセルされた旨の画面を表示部３２０に表示する。
【００８１】
また画像形成装置１の設定の変更を行ない、再起動（リブート）を行なう必要がある処理の場合、画像形成装置１の再起動を行なわないと、画像形成装置１が正常に動作できないため、この場合もロックをかける。ただしこの場合でもロングプレスやプレスを受け取る状態を設け、これによりアプリケーション毎に予め定められた処理として、制御手段５４０は、再起動するか、キャンセルして設定の変更を続行するか否かを選択させる画面を表示部３２０に表示する。
【００８２】
さらにウェルカム画面等のユーザに確認したい画面を表示部３２０に表示する処理の際に、それを消してホーム画面等に移行することはあまり好ましくないため、この場合もロックをかける。ただしこの場合でもロングプレスやプレスを受け取る状態を設け、これによりアプリケーション毎に予め定められた処理として、制御手段５４０は、ウェルカム画面を表示部３２０から消去する。
【００８３】
なおアプリケーションがロングプレスやプレスを受け取る状態にない場合の具体例としては、アプリケーションのインストールを行なうときに、処理をウィザード（Ｗｉｚａｒｄ）形式で行なっているときが挙げられる。この場合、処理の性質上ロングプレスやプレスを受け取らないほうが好ましい。
【００８４】
本実施の形態では、例えば、ステップ１０６では、制御手段５４０は、画像形成装置１の状態として、画像形成装置１を使用することができないエラー（SystemFail）が生じているか否かにより、選択手段５２０が選択した機能を実行するか否かを制御する。そして制御手段５４０は、予め定められた操作方法にてホームキー３１１が操作された（この場合、ロングプレス）ときに、画像形成装置１を使用することができないエラー（SystemFail）が生じている場合は、保守モードへ移行し、このエラーが生じていない場合は、保守モードへ移行しない制御を行なう。
また例えば、ステップ１０４、ステップ１０９、ステップ１１３、ステップ１１７では、制御手段５４０は、画像形成装置１の状態として、画像形成装置１を動作させるためのアプリケーションの状態により、選択手段５２０が選択した機能を実行するか否かを制御する。そして制御手段５４０は、予め定められた操作方法にてホームキー３１１が操作された（この場合、ロングプレス）ときに、アプリケーションの状態に応じてアプリケーション毎に予め定められた処理を行なう。
このように制御手段５４０は、画像形成装置１の状態に応じて選択手段５２０が選択した機能を実行するか否かを制御する。
【００８５】
図９は、本実施の形態における制御装置５００、ＯＳ（Operating System）、アプリケーション、ホームキー３１１の関係を模式的に示した図である。
図示するように制御装置５００は、ホームキー３１１と接続される。この接続は、通信ケーブルによりなされるが、専用線であることが好ましい。つまり本実施の形態では、画像形成装置１を使用することができないエラー（SystemFail）が生じているときでも、入力情報取得手段５１０は、ホームキー３１１からの入力情報を受け付ける必要がある。そのため通信ケーブルを専用線とし、ホームキー３１１が最後の命綱的役割を果たせることが好ましい。
【００８６】
またＯＳは、制御装置５００上で動作し、さらにアプリケーションは、ＯＳ上で動作する。図示する例では、２つのアプリケーションを模式的に示し、図中左側のアプリケーションは、既にインストールされており、図中右側のアプリケーションは、インストールで追加が可能であることを示す。
【００８７】
そして図示するアプリケーションは、保守モード機能と、振る舞い機能とを有することを示している。
保守モード機能は、図８のステップ１０６およびステップ１０５に示したように、アプリケーションがロングプレスをロックしている場合でも、画像形成装置１を使用することができないエラー（SystemFail）が生じているときに保守モードに移行する機能である。
また振る舞い機能は、図８のステップ１１１およびステップ１１９に示したように、アプリケーション毎に予め定められた処理を行なう機能である。
アプリケーションは、図６の制御手段５４０にロングプレスやプレスをロックする条件を通知してもよい。そして、制御手段５４０は、アプリケーションから受け取ったロック条件に応じて、ロングプレスやプレスに応じた機能を実行するか否かを制御する。ここでロック条件とは、制御手段５４０が、ロングプレスやプレスに対応する機能を実行するか否かを決めるための条件をいう。ロック条件は、アプリケーション毎に規定されていても良い。また、複数のアプリケーション単位で同じロック条件が、規定されていても良い。
【００８８】
なお上述した例では、制御手段５４０は１つであったが、ユーザインタフェース３００側の制御手段と、制御装置５００側の制御手段とに分かれていてもよい。
さらに状態取得手段５３０も、ユーザインタフェース３００側の状態取得手段と制御装置５００側の状態取得手段とに別れていてもよい。この場合、ユーザインタフェース３００側の状態取得手段は、アプリケーションの状態を取得し、制御装置５００側の状態取得手段は、画像形成装置１を使用することができないエラー（SystemFail）のようなエラー等の状態を取得する。
【００８９】
さらに上述した例では、ロングプレスとプレスの双方をロックできる場合を挙げたが、ロングプレスだけをロックをしてもよく、プレスだけをロックしてもよい。
【００９０】
またさらに上述した例では、情報処理装置として画像形成装置１を例に取り説明を行なったがこれに限られるものではない。即ち、複数の機能を有する入力部がある装置であれば、本実施の形態の適用が可能である。例えば、アプリケーションのアイコンを並べて表示する携帯電話、スマートフォン、タブレットのような機器に対しても適用できる。
【００９１】
＜プログラムの説明＞
なお制御装置５００が行う処理は、ソフトウェアとハードウェア資源とが協働することにより実現される。
【００９２】
よって制御装置５００が行う処理は、コンピュータに、複数の機能が付与されるホームキー３１１から入力情報を取得する入力情報取得機能と、入力情報取得機能が入力情報を取得したときに、ホームキー３１１への操作方法から複数の機能のうち何れの機能を実行するかを選択する選択機能と、画像形成装置１の状態を取得する状態取得機能と、画像形成装置１の状態に応じて選択した機能を実行するか否かを制御する制御機能と、を実現させるプログラムとして捉えることもできる。
【符号の説明】
【００９３】
１…画像形成装置、２０…画像形成部、１００…画像読取装置、２００…画像記録装置、３００…ユーザインタフェース、３１０…ハードウェアキー、３１１…ホームキー、３２０…表示部、５００…制御装置、５１０…入力情報取得手段、５２０…選択手段、５３０…状態取得手段、５４０…制御手段、５５０…保守手段
【図１】
2018074309.tif 000003
【図２】
2018074309.tif 000004
【図３】
2018074309.tif 000005
【図４】
2018074309.tif 000006
【図５】
2018074309.tif 000007
【図６】
2018074309.tif 000008
【図７】
2018074309.tif 000009
【図８】
2018074309.tif 000010
【図９】
2018074309.tif 000011